(57)【要約】【課題】二方向ドアエレベータにおいて、簡易な構成で、効率よく戸開方向を表示する。【解決手段】本発明の二方向ドアエレベータは、第一のドア１４１と、乗りかご１１０の、第一のドア１４１が配置される第一の側面とは異なる第二の側面に配置される第二のドア１４２と、乗りかご１１０の、第一の側面および第二の側面とは異なる第三の側面に、戸開方向を示す映像を戸開方向表示２１０として表示する戸開方向表示装置１２０と、第一のドア１４１および第二のドア１４２の開閉と同期して戸開方向表示２１０を制御する制御盤１０１と、を備える。【選択図】  図２
2019119593.tif 000002
【特許請求の範囲】
【請求項１】
第一のドアと、
乗りかごの、前記第一のドアが配置される第一の側面とは異なる第二の側面に配置される第二のドアと、
前記乗りかごの、前記第一の側面および前記第二の側面とは異なる第三の側面に、戸開方向を示す映像を戸開方向表示として表示する戸開方向表示装置と、
前記第一のドアおよび前記第二のドアの開閉と同期して前記戸開方向表示を制御する制御盤と、を備える二方向ドアエレベータ。
【請求項２】
請求項１記載の二方向ドアエレベータにおいて、
前記戸開方向表示は、前記乗りかごの天井付近に表示される二方向ドアエレベータ。
【請求項３】
請求項２記載の二方向ドアエレベータにおいて、
前記戸開方向表示は、一部のみで前記戸開方向を把握可能な映像である二方向ドアエレベータ。
【請求項４】
請求項２記載の二方向ドアエレベータにおいて、
前記戸開方向表示は、横長形状である二方向ドアエレベータ。
【請求項５】
請求項１から４いずれか１項記載の二方向ドアエレベータにおいて、
前記戸開方向表示装置は、前記第三の側面に配置されるモニタである二方向ドアエレベータ。
【請求項６】
請求項５記載の二方向ドアエレベータにおいて、
前記モニタの配線は、前記乗りかごのガイドレールと非干渉に配線される二方向ドアエレベータ。
【請求項７】
請求項１から４いずれか１項記載の二方向ドアエレベータにおいて、
前記戸開方向表示装置は、前記第三の側面に前記戸開方向表示を投影する投影装置である二方向ドアエレベータ。
【発明の詳細な説明】
【技術分野】
【０００１】
本発明はエレベータの戸開方向表示技術に関する。特に、ニ方向にドアを有するエレベータの戸開方向表示技術に関する。
【背景技術】
【０００２】
二方向にドアを有する、二方向ドアエレベータにおいて、乗りかご内の乗客に、どちらのドアが開くのか案内する技術がある。例えば、特許文献１には、各ドアの上部またはその付近に案内を表示する表示装置を備え、着床階が近づくと、扉が開く側のドアの表示装置を点灯させて乗客に戸開方向を報知する技術がある（例えば、特許文献１参照）。
【先行技術文献】
【特許文献】
【０００３】
【特許文献１】特開昭６０―１０６７７５号公報
【発明の概要】
【発明が解決しようとする課題】
【０００４】
特許文献１に開示の技術では、乗りかご内の乗客が、どちらのドアの方向を向いているかわからないため、戸開方向を報せるため、各ドアの上部またその付近に表示装置を設ける必要がある。このため、各ドアに表示装置が必要であり、設置コストや保守点検コストが高くなり、また、制御も複雑である。
【０００５】
本発明は、上記事情に鑑みてなされたもので、二方向ドアエレベータにおいて、簡易な構成で、効率よく戸開方向を表示する技術を提供することを目的とする。
【課題を解決するための手段】
【０００６】
本発明は、第一のドアと、乗りかごの、前記第一のドアが配置される第一の側面とは異なる第二の側面に配置される第二のドアと、乗りかごの、前記第一の側面および前記第二の側面とは異なる第三の側面に、戸開方向を示す映像を戸開方向表示として表示する戸開方向表示装置と、前記第一のドアおよび前記第二のドアの開閉と同期して前記戸開方向表示を制御する制御盤と、を備える二方向ドアエレベータを提供する。
【発明の効果】
【０００７】
本発明によれば、二方向ドアエレベータにおいて、簡易な構成で、効率よく戸開方向を表示できる。上述した以外の課題、構成および効果は、以下の実施形態の説明により明らかにされる。
【図面の簡単な説明】
【０００８】
【図１】本発明の実施形態のエレベータの全体概略図である。
【図２】本発明の実施形態のエレベータの戸開案内表示を説明するための説明図である。
【図３】本発明の実施形態の制御盤のハードウェア構成を説明するための説明図である。
【図４】本発明の実施形態のエレベータの乗りかごの側面図である。
【図５】本発明の実施形態のエレベータの、図４のＡ−Ａ断面図である。
【図６】本発明の実施形態の変形例の戸開案内表示装置を説明するための説明図である。
【図７】本発明の実施形態の変形例の戸開案内表示を説明するための説明図である。
【発明を実施するための形態】
【０００９】
以下、図面を参照しながら本発明の実施形態について説明する。以下、本明細書において、同一機能を有するものは、特に断らない限り、同一の符号を付し、繰り返しの説明は省略する。
【００１０】
図１は本発明の実施形態に係るエレベータ１００の概略構成を示す図である。本実施形態のエレベータ１００は、制御盤１０１と、テールコード１０２と、乗りかご１１０と、を備える。
【００１１】
制御盤１０１は、昇降路１０３の上部の機械室１０４等に設けられ、エレベータ１００全体の動作を制御する。
【００１２】
テールコード１０２は、制御盤１０１と乗りかご１１０とを接続する。制御盤１０１と乗りかご１１０との間の情報（信号）は、テールコード１０２を介して送受信される。また、乗りかご１１０への給電もテールコード１０２を介して行われる。
【００１３】
乗りかご１１０は、図示しない釣り合い錘とともにガイドレールに沿って昇降する。乗りかご１１０と釣り合い錘とは、昇降路１０３上部の機械室１０４内の巻上機を介して主ロープでつるべ式に懸垂され、ガイドレールに沿って駆動される。
【００１４】
また、乗りかご１１０は、異なる２方向にかごドア１４０を備える。本実施形態では、例えば、正面側出入口ドア（正面ドア、第一のドア）１４１と、背面側出入口ドア（背面ドア、第二のドア）１４２と、を備える。
【００１５】
正面ドア１４１は、乗りかご１１０の第一の側面に設けられる。また、背面ドア１４２は、乗りかご１１０の、第一の側面とは異なる第二の側面に設けられる。第二の側面は、例えば、第一の側面に対向する側面である。このように、本実施形態のエレベータ１００は、異なる２方向にかごドア１４０を備える、二方向ドアエレベータである。
【００１６】
本実施形態の乗りかご１１０は、さらに、戸開方向表示装置１２０を備える。戸開方向表示装置１２０は、正面ドア１４１および背面ドア１４２のいずれのドアが開くか、すなわち、戸開方向表示２１０を行う装置である。
【００１７】
戸開方向表示２１０は、図２に示すように、正面ドア１４１が配置される第一の側面および背面ドア１４２が配置される第二の側面とは異なる、第三の側面に表示される。また、戸開方向表示２１０は、第三の側面の、乗りかご１１０の天井付近の位置に表示される。これは、一つの戸開方向表示２１０で、乗りかご１１０内の乗客全員が、戸開方向を視認可能とするためである。
【００１８】
戸開方向表示２１０は、例えば、図２に示すような矢印、矢羽、等、方向性を示す映像とする。映像全体で矢印型のマークが、戸開方向に流れるような映像であってもよい。また、戸開方向表示２１０は、一部が隠れたとしても、戸開方向がわかるような映像とする。このような映像は、例えば、図２に示すように、戸開方向に矢先を向けた矢印を複数並べ、非戸開方向から戸開方向に、順に点灯制御することにより実現してもよい。さらに、戸開方向表示２１０は、例えば、横長の表示としてもよい。
【００１９】
戸開方向表示装置１２０は、例えば、戸開方向表示２１０を表示する画面を有するモニタ装置で実現される。この場合、モニタ装置の画面は、上述の戸開方向表示２１０が収まるよう、例えば、横長形状とする。
【００２０】
戸開方向表示装置１２０による戸開方向表示２１０は、制御盤１０１からの制御により表示される。
【００２１】
上述のように、制御盤１０１は、エレベータ１００全体の動作を制御する。本実施形態では、制御盤１０１は、乗りかご１１０の上下動、かごドア１４０の開閉も制御する。制御盤１０１は、各階の乗り場に設けられた呼びボタンまたは乗りかご内の行先指示ボタンを介して行先の階床の指示を受け付けると、当該階に向けて、乗りかご１１０を走行させる。この間、乗りかご１１０の速度、移動距離を、巻上機等にもうけられた加速度センサで検出し、停止階（目的階）への到着タイミングを予測する。そして、到着タイミングの所定時間前になると、当該停止階の戸開方向を示す戸開方向表示２１０を開始する。戸開方向表示２１０は、乗りかご１１０が目的階に停止し、かごドア１４０が開くまで継続して表示される。
【００２２】
このように、本実施形態の制御盤１０１は、乗りかご１１０の走行およびかごドア１４０の開閉と同期させて戸開方向表示２１０を行う。なお、各階床について、いずれのかごドア１４０が開くかの情報は、予めデータとして保持される。また、戸開方向表示開始タイミング（到着タイミングの所定時間前）は、予め設定される。
【００２３】
制御盤１０１は、上記制御を実現するため、例えば、図３に示すように、ＣＰＵ２０１と、メモリ２０２と、記憶装置２０３と、外部インタフェース（Ｉ／Ｆ）２０４と、を備える情報処理装置で構成される。記憶装置２０３に予め格納されたプログラムを、メモリ２０２にロードしてＣＰＵ２０１が実行することにより、上述の制御を実現する。なお、これらの構成に代えてＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ：特定用途向け集積回路）等のハードウェアで制御を実現してもよい。
【００２４】
外部Ｉ／Ｆ２０４は、外部装置と信号の送受信を行う。例えば、テールコード１０２を介して、乗りかご１１０に各種の制御信号を出力する。本実施形態では、出力される制御信号は、例えば、走行、停止等の乗りかご１１０の走行に関する制御信号、かごドア１４０の開閉を指示する開閉信号、戸開方向表示２１０に関する表示制御信号等である。
【００２５】
図４は、乗りかご１１０の側面図である。本図に示すように、戸開方向表示装置（モニタ装置）１２０への表示制御信号および給電を行う配線１２１は、乗りかご１１０のかご枠１２３に沿って乗りかご１１０の床面へ配線され、テールコード１０２に接続される。このとき、例えば、かご内車いす用操作盤１２２の配線と同経路としてもよい。
【００２６】
図５は、図４のＡ−Ａ断面図である。本図に示すように、戸開方向表示装置（モニタ装置）１２０の配線１２１は、ガイドレール１３１と干渉しないよう（非干渉に）配線される。
【００２７】
なお、戸開方向表示装置１２０は、モニタ装置に限定されない。例えば、図６に示すように、投影装置により実現されてもよい。この場合、戸開方向表示装置（投影装置）１２０は、例えば、乗りかご１１０の天井の、第三の側面に対向する面側に配置される。そして、第三の側面に戸開方向表示２１０を投影する。
【００２８】
戸開方向表示２１０は、第三の側面の、乗りかご１１０の天井付近に表示される。表示する戸開方向表示２１０の内容は、戸開方向表示装置１２０がモニタ装置である場合と同様とする。投影装置の投影は、制御盤１０１により制御される。
【００２９】
以上説明したように、本実施形態のエレベータ１００は、正面ドア１４１と、正面ドア１４１が配置される第一の側面とは異なる乗りかご１１０の第二の側面に配置される背面ドア１４２と、乗りかご１１０の、第一の側面および第二の側面とは異なる第三の側面に戸開方向を示す映像である戸開方向表示２１０を表示する戸開方向表示装置１２０と、正面ドア１４１、背面ドア１４２および戸開方向表示装置１２０の動作を制御する制御盤１０１と、を備え、前記制御盤１０１は、正面ドア１４１および背面ドア１４２の開閉と同期して戸開方向表示装置１２０の表示制御を行う。
【００３０】
このとき、戸開方向表示２１０は、第三の側面の天井付近に表示されてもよい。また、一部のみで前記戸開方向を把握可能な映像としてもよい。例えば、横長の表示としてもよい。
【００３１】
本実施形態では、このような位置に、戸開方向表示２１０が表示されるため、１つの戸開方向表示２１０のみで、正面ドア１４１および背面ドア１４２のいずれのドアが開くか、乗客全員が視認可能となる。これにより、乗客は、乗りかご１１０内の乗客が多い時であっても、他の乗客に遮られることなく、戸開方向を把握できる。
【００３２】
また、上記戸開方向表示２１０は、１つの戸開方向表示装置１２０で実現できる。従って、本実施形態によれば、簡易な構成で、効率よく戸開方向を表示できる。これにより、設置コスト、保守点検コストも抑えることができる。
【００３３】
なお、上記実施形態では、２つのドアが配置される位置を、第一の側面と、それに対向する第二の側面とする場合を例にあげて説明したが、ドアが配置される側面はこれに限定されない。例えば、第一の側面と、それに隣接する側面と、に配置されてもよい。
【００３４】
この場合、戸開表示は、第一のドアおよび第二のドアが配置されない側面のいずれに表示されてもよい。
【００３５】
また、例えば、戸開方向表示装置１２０が投影装置であり、その投影レンズが可動レンズである場合、戸開方向に応じてレンズを稼働させて戸開方向表示を表示してもよい。この場合の戸開方向表示２２０の表示例を、図７に示す。この場合、本図に示すように、第三の側面の中でも、より、戸開方向に近い位置に戸開方向表示２２０を表示する。投影レンズの稼働は、制御盤１０１により制御される。
【符号の説明】
【００３６】
１００：エレベータ、１０１：制御盤、１０２：テールコード、１０３：昇降路、１０４：機械室、１１０：乗りかご、１２０：戸開方向表示装置、１２１：配線、１２２：用操作盤、１２３：かご枠、１３１：ガイドレール、１４０：かごドア、１４１：正面ドア、１４２：背面ドア、２０１：ＣＰＵ、２０２：メモリ、２０３：記憶装置、２０４：外部Ｉ／Ｆ、２１０：戸開方向表示、２２０：戸開方向表示
【図１】
2019119593.tif 000003
【図２】
2019119593.tif 000004
【図３】
2019119593.tif 000005
【図４】
2019119593.tif 000006
【図５】
2019119593.tif 000007
【図６】
2019119593.tif 000008
【図７】
2019119593.tif 000009